(57)【要約】多数の端末、中継局および基地局を備えたマルチホップ直交周波数分割多重接続（ＯＦＤＭＡ）をベースとした無線接続通信システムにおける資源および割り当て方法を開示する。この方法は、前記多数の端末が前記中継局に資源の割り当てを要請する段階と、前記中継局が前記多数の端末の個数を把握する段階と、前記中継局が前記基地局に前記多数の端末の個数情報と前記多数の端末への資源割り当てを要請する段階と、前記基地局が前記多数の端末に一括的に資源を割り当てる段階と、前記中継局が前記多数の端末に一括的に割り当てされた資源を各端末に割り当てる段階とを含んでなる。
2011509587.tif 000002
【特許請求の範囲】
【請求項１】
多数の端末、中継局および基地局を備えたマルチホップ直交周波数分割多重接続をベースとした無線接続通信システムにおける資源要請および割り当て方法において、
前記多数の端末が前記中継局に資源の割り当てを要請する第１段階と、
前記中継局が前記多数の端末の個数を把握する第２段階と、
前記中継局が前記基地局に前記多数の端末の個数情報と前記多数の端末への資源割り当てを要請する第３段階と、
前記基地局が前記多数の端末に一括的に資源を割り当てる第４段階と、
前記中継局が前記多数の端末に一括的に割り当てされた資源を各端末に割り当てる第５段階とを含むことを特徴とする、資源要請および割り当て方法。
【請求項２】
前記第１段階は、
前記多数の端末が帯域幅要請ＣＤＭＡコードを介して前記中継局に資源割り当てを要請することを特徴とする、請求項１に記載の資源要請および割り当て方法。
【請求項３】
前記第３段階は、
前記中継局がマルチホップ中継コード報告メッセージを介して前記基地局に前記多数の端末の個数情報を伝達することを特徴とする、請求項１に記載の資源要請および割り当て方法。
【請求項４】
前記第４段階は、前記基地局がＣＤＭＡコード関連フィールドの空いたＣＤＭＡ割り当てメッセージを前記中継局に伝達し、
前記第５段階は、前記中継局が前記割り当てメッセージのＣＤＭＡコード関連フィールドを挿入した後、前記基地局に伝達することを特徴とする、請求項１に記載の資源要請および割り当て方法。
【請求項５】
前記ＣＤＭＡコード関連フィールドは、反復符号化指示子フィールド(repetition coding indication field)、レンジングコードフィールド(ranging code field)、レンジングシンボルフィールド(ranging symbol field)、およびレンジングサブチャネルフィールド(ranging subchannelfield)を含むことを特徴とする、請求項４に記載の資源要請および割り当て方法。
【請求項６】
前記第５段階は、前記中継局が資源割り当て要請順序と優先度に基づいて前記多数の端末に資源を割り当てることを特徴とする、請求項１に記載の資源要請および割り当て方法。
【請求項７】
前記第５段階は、前記中継局が、前記第１段階で資源割り当てを要求した端末が前記中継局の管轄領域を外れると、前記管轄領域を外れた端末に前記一括的に割り当てられた資源を割り当てないことを特徴とする、請求項１に記載の資源要請および割り当て方法。
【請求項８】
前記基地局は、前記中継局から資源割り当てが要請されなくても、周期的に前記中継局に一定の大きさの資源を割り当てることを特徴とする、請求項１に記載の資源要請および割り当て方法。
【請求項９】
前記周期的な資源割り当ては、前記中継局の管轄下にある端末の個数が特定の個数より大きい場合に行うことを特徴とする、請求項８に記載の資源要請および割り当て方法。
【請求項１０】
多数の端末、中継局および基地局を備えたマルチホップ直交周波数分割多重接続をベースとした無線接続通信システムの前記中継局における資源要請および割り当て方法において、
前記多数の端末から資源割り当てが要請されると、前記多数の端末の個数を把握する第１段階と、
前記基地局に前記多数の端末の個数情報と前記多数の端末への資源割り当てを要請する第２段階と、
前記基地局から前記多数の端末に一括的に資源が割り当てられると、前記多数の端末に一括的に割り当てられた資源を各端末に割り当てる第３段階とを含むことを特徴とする、資源要請および割り当て方法。
【請求項１１】
前記第１段階では、前記多数の端末が帯域幅要請ＣＤＭＡコードを介して前記中継局に資源割り当てを要請することを特徴とする、請求項１０に記載の資源要請および割り当て方法。
【請求項１２】
前記第２段階は、前記中継局がマルチホップ中継コード報告メッセージを介して前記基地局に前記多数の端末の個数情報を伝達することを特徴とする、請求項１０に記載の資源要請および割り当て方法。
【請求項１３】
前記第３段階は、前記基地局からＣＤＭＡコード関連フィールドの空いたＣＤＭＡ割り当てメッセージが伝達されると、前記ＣＤＭＡ割り当てメッセージのＣＤＭＡコード関連フィールドを挿入した後、前記基地局に伝達することを特徴とする、請求項１０に記載の資源要請および割り当て方法。
【請求項１４】
前記ＣＤＭＡコード関連フィールドは、反復符号化指示子フィールド(repetition coding indication field)、レンジングコードフィールド(ranging code field)、レンジングシンボルフィールド(ranging symbol field)、およびレンジングサブチャネルフィールド(ranging subchannelfield)を含むことを特徴とする、請求項１３に記載の資源要請および割り当て方法。
【請求項１５】
前記第３段階は、前記中継局が資源割り当て要請順序と優先度に基づいて前記多数の端末に資源を割り当てることを特徴とする、請求項１０に記載の資源要請および割り当て方法。
【請求項１６】
前記第３段階は、前記中継局が、前記第１段階で資源割り当てを要求した端末が前記中継局の管轄領域を外れると、前記管轄領域を外れた端末に、前記一括的に割り当てられた資源を割り当てないことを特徴とする、請求項１０に記載の資源要請および割り当て方法。
【請求項１７】
多数の端末、中継局および基地局を備えたマルチホップ直交周波数分割多重接続をベースとした無線接続通信システムの前記基地局における資源要請および割り当て方法において、
前記中継局から、前記中継局に資源割り当てを要請した多数の端末の個数情報と前記多数の端末への資源割り当てが要請される第１段階と、
前記多数の端末への資源割り当てが可能なのか否かを判断する第２段階と、
前記中継局を介して前記多数の端末に一括的に資源を割り当てる第３段階とを含むことを特徴とする、資源要請および割り当て方法。
【請求項１８】
前記第１段階は、前記基地局がマルチホップ中継コード報告メッセージを介して前記中継局から前記多数の個数情報を受信することを特徴とする、請求項１７に記載の資源要請および割り当て方法。
【請求項１９】
前記第３段階は、前記基地局がＣＤＭＡコード関連フィールドの空いたＣＤＭＡ割り当てメッセージを前記中継局に伝達することを特徴とする、請求項１７に記載の資源要請および割り当て方法。
【請求項２０】
前記ＣＤＭＡコード関連フィールドは、反復符号化指示子フィールド(repetition coding indication field)、レンジングコードフィールド(ranging code field)、レンジングシンボルフィールド(ranging symbol field)、およびレンジングサブチャネルフィールド(ranging subchannelfield)を含むことを特徴とする、請求項１９に記載の資源要請および割り当て方法。
【請求項２１】
前記基地局は、前記中継局から資源割り当てが要請されなくても、周期的に前記中継局に一定の大きさの資源を割り当てることを特徴とする、請求項１７に記載の資源要請および割り当て方法。
【請求項２２】
前記周期的な資源割り当ては、前記中継局の管轄下にある端末の個数が特定の個数より大きい場合に行うことを特徴とする、請求項２１に記載の資源要請および割り当て方法。
【発明の詳細な説明】
【技術分野】
【０００１】
本発明は、マルチホップリレー方式を採用する直交周波数分割多重接続（ＯＦＤＭＡ、Orthogonal Frequency Division Multiplexing Access）をベースとした無線接続通信システムにおけるＣＤＭＡコード(Code Division Multiplexing Access code)を用いた資源要請および割り当て方法に関する。特に、中継局に接続された端末がＣＤＭＡコードを用いて資源を要請および割り当てする方法に関する。
【背景技術】
【０００２】
ＯＦＤＭＡをベースとした無線接続通信システムのＭＡＣ(media access control)階層で資源を要請する方法には、帯域幅要請ヘッダーを用いた資源要請方法、ピギーバック(piggy back)を用いた資源要請方法、およびＣＤＭＡコードを用いた資源要請方法がある。
【０００３】
帯域幅要請ヘッダーを用いた資源要請方法は、アップリンク割り当て(uplink allocation)があるとき、端末が、残った資源を用いて、さらに必要とする資源を帯域幅要請ヘッダーを介して要請する方法である。この要請は端末の接続識別子（ＣＩＤ、connection identifier）別に行われるが、必要な資源は端末のそれぞれのサービス別に要請される。
【０００４】
ピギーバックを用いた資源要請方法は、承認管理サブヘッダー(grant management subheader)のピギーバック要請フィールド(piggyback request field)を介して所望の資源を要請する方法である。
【０００５】
ＣＤＭＡコードを用いた資源要請方法は、端末が特定のレンジングチャネル(ranging channel)を用いてＣＤＭＡコード伝送を介して資源を要請する方法である。この際、使用されるＣＤＭＡコードは、帯域幅要請のためのコードセットから任意に選択する。資源の割り当てを受けようとする端末は、ＣＤＭＡコードを基地局へ伝送する。ＣＤＭＡコードを受信した基地局は、当該ＣＤＭＡコードを伝送した端末にＣＤＭＡ割り当てメッセージ(CDMA allocation IE)を介して資源を割り当てる。ところが、このＣＤＭＡ割り当てメッセージには端末の接続識別子(basic CID)ではなく同報接続識別子情報が載り、端末が使用したＣＤＭＡコード情報も共に載る。よって、ＣＤＭＡコードを送った全ての端末は基地局から伝送される全てのＣＤＭＡ割り当てメッセージを受信し、そのＣＤＭＡ割り当てメッセージ内に含まれたＣＤＭＡコードが自分の送ったＣＤＭＡコードと一致するか否かを確認し、一致すれば、当該ＣＤＭＡ割り当てメッセージに割り当てられた資源を使用する。もし、ＣＤＭＡコードを送ったが資源割り当てがなされなければ、ＣＤＭＡコードの衝突が発生したと仮定し、さらに二次指数バックオフ(binary exponential backoff)過程を経て新しいＣＤＭＡコードを伝送する。
【０００６】
上述した単一ホップ直交周波数分割多重接続をベースとした無線接続通信システムは、サービス領域が非常に狭い問題点により、最近、マルチホップ技術を用いてサービス領域を拡張した技術が提案された。
【０００７】
このようなマルチホップ直交周波数分割多重接続をベースとした無線接続通信システムの場合、図１に示すように、基地局ＢＳと端末ＭＳ２が中継局ＲＳ(relay station)を介して通信する。
【０００８】
このようなマルチホップ直交周波数分割多重接続をベースとした無線接続通信システムに、ＣＤＭＡコードを用いた資源要請方法を適用する場合、中継局ＲＳと通信する端末ＭＳ２は中継局ＲＳにＣＤＭＡコードを伝送して資源を要請する。すると、中継局ＲＳは、レンジングチャネルを用いてその資源要請端末のＣＤＭＡコードを基地局ＢＳに中継する。ところが、このように中継する場合、基地局ＢＳは、そのＣＤＭＡコードが、通信可能な端末ＭＳ１から直接受信されたものであるか、それとも中継局ＲＳを介して受信されたものであるかを区分することができない。その理由は、ＣＤＭＡには端末に対する情報がないためである。よって、基地局ＢＳはＣＤＭＡコードを伝送した端末に正しく資源を割り当てることができないという問題点がある。
【発明の概要】
【発明が解決しようとする課題】
【０００９】
本発明は、かかる従来の技術の問題点を解決するためのもので、その目的は、マルチホップ直交周波数分割多重接続をベースとした無線接続通信システムでＣＤＭＡコードを用いて資源を要請および割り当てする方法を提供することにある。
【課題を解決するための手段】
【００１０】
上記目的を達成するために、本発明に係る多数の端末、中継局、および基地局を備えたマルチホップ直交周波数分割多重接続をベースとした無線接続通信システムにおける資源要請および割り当て方法は、前記多数の端末が前記中継局に資源の割り当てを要請する第１段階と、前記中継局が前記多数の端末の個数を把握する第２段階と、前記中継局が前記基地局に前記多数の端末の個数情報と前記多数の端末への資源割り当てを要請する第３段階と、前記基地局が前記多数の端末に一括的に資源を割り当てる第４段階と、前記中継局が、前記多数の端末に一括的に割り当てられた資源を各端末に割り当てる第５段階とを含むことを特徴とする。
【００１１】
また、本発明に係る多数の端末、中継局、および基地局を備えたマルチホップ直交周波数分割多重接続をベースとした無線接続通信システムの前記中継局における資源要請および割り当て方法は、前記多数の端末から資源の割り当てが要請されると、前記多数の端末の個数を把握する第１段階と、前記基地局に前記多数の端末の個数情報と前記多数の端末への資源割り当てを要請する第２段階と、前記基地局から前記多数の端末に一括的に資源が割り当てられると、前記多数の端末に一括的に割り当てられた資源を各端末に割り当てる第３段階とを含むことを特徴とする。
【００１２】
また、本発明に係る多数の端末、中継局、および基地局を備えたマルチホップ直交周波数分割多重接続をベースとした無線接続通信システムの前記基地局における資源要請および割り当て方法は、前記中継局から、前記中継局に資源割り当てを要請した多数の端末の個数情報と前記多数の端末への資源割り当てが要請される第１段階と、前記多数の端末への資源割り当てが可能なのか否かを判断する第２段階と、前記中継局を介して前記多数の端末に一括的に資源を割り当てる第３段階とを含むことを特徴とする。
【発明の効果】
【００１３】
本発明によれば、多数の端末の資源要請を中継局が一括的に集めてメッセージによって基地局へ資源割り当てを要請するため資源要請によるシグナル伝達オーバーヘッドを減らすことができ、基地局が資源割り当ておよび管理を効率よく行うことができ、基地局から割り当てられた資源を中継局が各端末に調節して割り当てることができるため、端末の優先度とサービス品質を考慮して適切に資源を割り当てることができるという利点がある。
【図面の簡単な説明】
【００１４】
【図１】マルチホップ直交周波数分割多重接続をベースとした無線接続通信システムを示す図である。
【図２】本発明によって端末がＣＤＭＡコードを用いて資源を要請する過程を示すフローチャートである。
【図３】本発明に係るマルチホップ直交周波数分割多重接続をベースとした無線接続通信システムにおけるＣＤＭＡコードを用いた資源要請および割り当て過程を示す信号流れ図である。
【図４】本発明に係るマルチホップ直交周波数分割多重接続をベースとした無線接続通信システムでＣＤＭＡコードを用いて資源を要請および割り当てするための中継局における動作を示すフローチャートである。
【図５】本発明に係るマルチホップ直交周波数分割多重接続をベースとした無線接続通信システムでＣＤＭＡコードを用いて資源を要請および割り当てするための基地局における動作を示すフローチャートである。
【発明を実施するための形態】
【００１５】
本発明によれば、中継局が自分の管轄領域下にある端末の資源要請を集めて資源を要請した端末の数を基地局に知らせ、資源要請を受けた基地局は中継局の領域で必要な資源をいっぺんに割り当て、中継局が端末に資源を割り当てることにより、システムの性能を極大化させる。
【００１６】
以下、添付図面を参照して、本発明の一実施例に係るマルチホップ直交周波数分割多重接続をベースとした無線接続通信システムにおけるＣＤＭＡコードを用いた資源要請および割り当て方法を詳細に説明する。
【００１７】
図１はマルチホップ直交周波数分割多重接続をベースとした無線接続通信システムを示す図である。
マルチホップ直交周波数分割多重接続をベースとした無線接続通信システムにおいて、中継局ＲＳは、基地局ＢＳから遠く離れている端末ＭＳ２をサービスするために基地局ＢＳと端末ＭＳ２との間に位置し、基地局ＢＳが伝送したデータを端末ＭＳ２に中継して経路損失を減らす。この際、中継局ＲＳからサービスを受ける端末ＭＳ２は、伝送パワーの制約によって基地局ＢＳと直接通信を行うことができないので、基地局ＢＳとの間でデータを送受信するときに中継局ＲＳを必ず経由しなければならない。中継局ＲＳが端末ＭＳ２に伝送する全てのデータおよび制御情報は基地局ＢＳから受信して伝達する。すなわち、中継局ＲＳに登録された端末を制御することが可能な権限は基地局ＢＳにのみ在り、中継局ＲＳは基地局ＢＳの制御信号をリレーする役割のみを果たす。
【００１８】
端末ＭＳ２は中継局ＲＳと基地局ＢＳを区分することができず、中継局ＲＳに登録されていても、中継局ＲＳを基地局ＢＳとして認識して動作する。中継局ＲＳは、自分に登録された端末との通信を行う場合には基地局ＢＳのように動作して必要な制御情報およびデータを端末ＭＳ２に送受信し、これを基地局ＢＳに中継する。このとき、発生する制御情報は中継局ＲＳの属している基地局ＢＳから生成されて中継局ＲＳを介して端末ＭＳ２に伝送される。また、中継局ＲＳは基地局ＢＳとの通信を行うために端末と同様に動作するが、基地局ＢＳから資源の割り当てを受け、割り当てられた資源を用いて、自分に登録された端末の情報を基地局ＢＳに中継する。但し、基地局ＢＳは接続識別子ＣＩＤの区分などの方法によって端末と中継局ＲＳを区分することができる。
【００１９】
図２は本発明によって端末がＣＤＭＡコードを用いて資源を要請する過程を示すフローチャートであり、前記過程は従来の動作と同様である。
まず、端末は、アップリンク資源が必要であれば（Ｓ２１）、レンジングチャネルを介してＣＤＭＡコードを基地局へ伝送する（Ｓ２２）。基地局からＣＤＭＡ割り当てメッセージを受信すると（Ｓ２３）、受信されたＣＤＭＡ割り当てメッセージ内のＣＤＭＡコードが自分のＣＤＭＡコードとマッチするか否かを確認する（Ｓ２４）。確認結果、受信されたＣＤＭＡコードと自分のＣＤＭＡコードとがマッチすると、受信されたＣＤＭＡ割り当てメッセージに割り当てられた資源を使用し（Ｓ２５）、受信されたＣＤＭＡコードと自分のＣＤＭＡコードとがマッチしなければ、二次指数バックオフ過程の後に新しいＣＤＭＡコードを選択し（Ｓ２６）、段階Ｓ２２に戻ってその新しいＣＤＭＡコードを伝送する。
【００２０】
図３は本発明に係るマルチホップ直交周波数分割多重接続をベースとした無線接続通信システムにおけるＣＤＭＡコードを用いた資源要請および割り当て過程を示す信号流れ図である。
【００２１】
まず、端末ＭＳ１と端末ＭＳ２は中継局ＲＳを介して基地局ＢＳとの通信を行う端末であると仮定する。
アップリンク資源が必要な端末ＭＳ１と端末ＭＳ２は、中継局ＲＳにそれぞれＣＤＭＡコードを伝送する（Ｓ３１）。端末ＭＳ１と端末ＭＳ２は、中継局ＲＳであれ基地局ＢＳであれ、アップリンク資源が必要な場合にはＣＤＭＡコードを伝送する。
【００２２】
多数の端末ＭＳ１、ＭＳ２からＣＤＭＡコードを受信した中継局ＲＳは、ＣＤＭＡコードを伝送した端末の個数を把握する（Ｓ３２）。その後、中継局ＲＳは、レンジングチャネルを介して自分のＣＤＭＡコードを基地局ＢＳに伝送する（Ｓ３３）。基地局ＢＳからＣＤＭＡ割り当てメッセージが受信されると（Ｓ３４）、中継局ＲＳは基地局ＢＳに帯域幅要請ヘッダーを伝送する（Ｓ３５）。帯域幅要請ヘッダーを受けた基地局ＢＳはアップリンクＭＡＰ(Up Link MAP)を中継局ＲＳに伝送し（Ｓ３６）、中継局ＲＳは段階Ｓ３６で受けたアップリンクＭＡＰに含まれた資源を用いて基地局ＢＳへマルチホップ中継コード報告メッセージ(MR_Code-REP message)を伝送する（Ｓ３７）。このマルチホップ中継コード報告メッセージには、中継局ＲＳへＣＤＭＡコードを送った端末の個数情報が含まれる。
【００２３】
マルチホップ中継コード報告メッセージを受けた基地局ＢＳは、アップリンクＭＡＰを中継局ＲＳに伝送し（Ｓ３８）、中継局ＲＳは、このアップリンクＭＡＰに含まれたＣＤＭＡ割り当てメッセージに各端末ＭＳ１、ＭＳ２のＣＤＭＡコードに対する情報を追加して端末に伝送すべきＣＤＭＡ割り当てメッセージを完成し（Ｓ３９）、各端末ＭＳ１、ＭＳ２にＣＤＭＡ割り当てメッセージを伝送する（Ｓ４０）。
【００２４】
基地局ＢＳは、ＣＤＭＡコードを送った端末の個数情報は知るが、各端末ＭＳ１、ＭＳ２が伝送したＣＤＭＡコードを知らないため、端末の個数に該当する資源をいっぺんに割り当ててアップリンクＭＡＰを生成し、中継局ＲＳが、基地局ＢＳから受信されるアップリンクＭＡＰに端末のＣＤＭＡコード情報を入れて各端末ＭＳ１、ＭＳ２にＣＤＭＡ割り当てメッセージを伝送する。
【００２５】
図４は本発明に係るマルチホップ直交周波数分割多重接続をベースとした無線接続通信システムでＣＤＭＡコードを用いて資源を要請および割り当てするための中継局における動作を示すフローチャートである。
【００２６】
端末からＣＤＭＡコードを受信する（Ｓ４１）。受信されたＣＤＭＡコードが帯域幅要請のためのＣＤＭＡコードであれば（Ｓ４２）、ＣＤＭＡコードを伝送した端末の個数を把握する（Ｓ４３）。そして、中継局は、基地局に自分のＣＤＭＡコードを伝送し（Ｓ４４）、基地局からＣＤＭＡ割り当てメッセージを受信する（Ｓ４５）。中継局は、段階Ｓ４５で受信したＣＤＭＡ割り当てメッセージに明示された資源を用いて基地局に帯域幅要請ヘッダーを伝送し（Ｓ４６）、基地局からアップリンクＭＡＰを受信する（Ｓ４７）。中継局は、アップリンクＭＡＰを受信した後、明示された資源を用いてマルチホップ中継コード報告メッセージ(MR_Code-REP message)を基地局へ伝送するが（Ｓ４８）、このマルチホップ中継コードメッセージには段階Ｓ４３で把握された端末の個数情報が含まれる。中継局は、基地局からアップリンクＭＡＰを受信する（Ｓ４９）。この段階Ｓ４９で受信したアップリンクＭＡＰには、ＣＤＭＡコードを伝送した端末に伝送すべきＣＤＭＡ割り当てメッセージが含まれるが、このアップリンクＭＡＰに含まれたＣＤＭＡ割り当てメッセージには端末別ＣＤＭＡコードが含まれない。よって、中継局は端末に伝送するＣＤＭＡ割り当てメッセージに、ＣＤＭＡコードに関連したフィールド値を挿入した後、当該端末にＣＤＭＡ割り当てメッセージを伝送する（Ｓ５０）。
【００２７】
ＣＤＭＡ割り当てメッセージのＣＤＭＡコードに関連したフィールドであって、中継局が満たさなければならないフィールドは、反復符号化指示子フィールド(repetition coding indication field)、レンジングコードフィールド(ranging code field)、レンジングシンボルフィールド(ranging symbol field)、レンジングサブチャネルフィールド(ranging subchannelfield)である。
【００２８】
すなわち、従来のマルチホップ直交周波数分割多重接続をベースとした無線接続通信システムでは、実際端末のための資源要請および割り当ては基地局で直接行われたが、これに対し、本発明では、基地局ではなく中継局で行われる。すなわち、中継局が基地局から資源割り当て権限の委任を受けることにより、資源割り当ての柔軟性を持つ。もし資源を要請した量より少ない量が基地局から割り当てられた場合、中継局は資源を要請した端末の順序または優先度を考慮して端末に資源を割り当てる。また、端末が資源を要請した後、移動により自分の管轄区域を外れた場合、基地局から割り当てられた資源を他の端末に割り当てるか、或いは自分が直接使用することができる。
【００２９】
図５は本発明に係るマルチホップ直交周波数分割多重接続をベースとした無線接続通信システムでＣＤＭＡコードを用いて資源を要請および割り当てするための基地局における動作を示すフローチャートである。
【００３０】
基地局は、自分と直接通信可能な端末に対しては従来と同様の方法で当該端末に直接ＣＤＭＡ割り当てメッセージによって資源を割り当てる。すなわち、基地局は、ＣＤＭＡコードが受信されると、そのＣＤＭＡコードが帯域幅要請のためのコードであるか否かを判別し、受信されたＣＤＭＡコードが帯域幅要請のためのコードであれば、ＣＤＭＡ割り当てメッセージを介してアップリンク資源を割り当てるが、このＣＤＭＡ割り当てメッセージに当該端末のＣＤＭＡコードを挿入して伝送する。
【００３１】
一方、基地局は、中継局からマルチホップ中継コード報告メッセージを用いて、当該中継局にＣＤＭＡコードを伝送した端末の個数情報を受信する（Ｓ５１）。すると、基地局は割り当て可能なアップリンク資源があるか否かを判断する（Ｓ５２）。判断結果、割り当て可能なアップリンク資源があれば、基地局は、中継局にＣＤＭＡコードを伝送した端末に割り当てるべきＣＤＭＡ割り当てメッセージをアップリンクＭＡＰに入れ、このアップリンクＭＡＰを当該中継局へ伝達する（Ｓ５３）。ところが、この際、基地局は、ＣＤＭＡ割り当てメッセージのＣＤＭＡコード関連フィールド、すなわち反復符号化指示子フィールド、レンジングコードフィールド、レンジングシンボルフィールド、およびレンジングサブチャネルフィールドは充たさずに送る。
【００３２】
このように基地局がＣＤＭＡ割り当てメッセージのＣＤＭＡコード関連フィールドを充たさない理由は、基地局は端末の個数は知るが、実際端末からＣＤＭＡコードを受けなかったので、ＣＤＭＡコードに関する情報は知ることができないためである。この空いたフィールドは中継局によって充たされる。
【００３３】
接続された端末の個数が多い中継局が本発明の資源要請および割り当て方法を使用する場合、資源要請にかかる遅延時間が長くなるという欠点がありうる。本発明は、中継局に接続された端末の個数が臨界個数（Ｎ）より大きい 場合、基地局では周期的に一定の量の資源を中継局に割り当て、中継局が端末の資源要請の際に既に割り当てられた資源を任意に当該端末に割り当てることができるようにすることにより、資源要請および割り当てにかかる遅延時間を減らすことができる。
【００３４】
以上、本発明に関する技術思想を添付図面と共に叙述したが、これは本発明の最も良好な一実施例を例示的に説明するものに過ぎず、本発明を限定するものではない。また、当該技術分野における通常の知識を有する者であれば、本発明の技術思想の範疇から逸脱することなく多様な変形および模倣を加え得るのは明白な事実である。
【産業上の利用可能性】
【００３５】
本発明の中継局によるマルチホップ直交周波数分割多重接続をベースとした無線接続通信システムは、モバイルＷｉＭＡＸシステム、エボリューションシステム、および軍事用戦術通信システムに利用することが可能である。
【図１】
2011509587.tif 000003
【図２】
2011509587.tif 000004
【図３】
2011509587.tif 000005
【図４】
2011509587.tif 000006
【図５】
2011509587.tif 000007
【国際調査報告】
2011509587.tif 000008
2011509587.tif 000009